(57)【要約】      （修正有）【課題】仕様変更に容易に対応することができ、コスト高となるのを抑えることができる基板用コネクタを提供する。【解決手段】基板用コネクタは、端子金具８０Ａが装着されるハウジング１０と、ハウジング１０に装着されるハウジング装着部６４、及び回路基板９０に固定される基板固定部６５を有する固定部材６０とを備える。ハウジング１０には、回路基板９０の板面とほぼ直交する縦方向に延出してハウジング装着部６４を縦方向に挿入可能となす縦挿入孔１３と、縦挿入孔１３と交差連通し、且つ回路基板９０の板面とほぼ平行な横方向の延出してハウジング装着部６４を横方向に挿入可能となす横挿入孔１４とを有する固定部材受け部が設けられている。【選択図】図２
2018018613.tif 000002
【特許請求の範囲】
【請求項１】
回路基板に電気的に接続される端子金具と、
前記端子金具が装着されるハウジングと、
前記ハウジングに装着されるハウジング装着部、及び前記回路基板に固定される基板固定部を有する固定部材とを備え、
前記ハウジングには、前記回路基板の板面とほぼ直交する縦方向に延出して前記ハウジング装着部を前記縦方向に挿入可能となす縦挿入孔と、前記縦挿入孔と交差連通し、且つ前記回路基板の板面とほぼ平行な横方向の延出して前記ハウジング装着部を前記横方向に挿入可能となす横挿入孔とを有する固定部材受け部が設けられていることを特徴とする基板用コネクタ。
【請求項２】
前記横挿入孔は、前記ハウジングに対して前記端子金具が装着される側となる後方に、前記ハウジング装着部の挿入口を有する請求項１記載の基板用コネクタ。
【請求項３】
前記固定部材は、線状部材であって、前記ハウジング装着部が前記縦挿入孔に挿入された場合には前記基板固定部が前記回路基板の固定孔に差し込まれて半田固定され、前記ハウジング装着部が前記横挿入孔に挿入された場合には前記基板固定部の側面部分が前記回路基板の板面に沿って半田固定されるような形状になっている請求項１又は２記載の基板用コネクタ。 
【発明の詳細な説明】
【技術分野】
【０００１】
本発明は、基板用コネクタに関する。
【背景技術】
【０００２】
特許文献１には、基板用コネクタとしてのＳＭＴコネクタ（表面実装型コネクタ）が開示されている。ＳＭＴコネクタは、樹脂製のケース（ハウジング）と、ケースの組付孔内に装着される固定部材としての金属製のペグとを備え、ペグがプリント配線板（回路基板）にはんだ付けにより固定されることで、プリント配線板に固定される。組付孔は、プリント配線板の板面とほぼ直交する縦方向に沿った挿通孔及び圧入孔を有し、ペグは、組付孔に縦方向に挿入される。
【先行技術文献】
【特許文献】
【０００３】
【特許文献１】特開２０１１−９６４３８号公報
【発明の概要】
【発明が解決しようとする課題】
【０００４】
ところで、上記の場合、ペグの組付孔への装着方向が一方向のみに限定され、ペグに対してケースが専用部品化していた。このため、例えば、表面実装型からスルーホール型への仕様変更の要請がある場合には、別途金型を新設しなければならず、コストが高くつくという問題があった。
【０００５】
本発明は上記のような事情に基づいて完成されたものであって、仕様変更に容易に対応することができ、コスト高となるのを抑えることができる基板用コネクタを提供することを目的とする。
【課題を解決するための手段】
【０００６】
本発明の基板用コネクタは、回路基板に電気的に接続される端子金具と、前記端子金具が装着されるハウジングと、前記ハウジングに装着されるハウジング装着部、及び前記回路基板に固定される基板固定部を有する固定部材とを備え、前記ハウジングには、前記回路基板の板面とほぼ直交する縦方向に延出して前記ハウジング装着部を前記縦方向に挿入可能となす縦挿入孔と、前記縦挿入孔と交差連通し、且つ前記回路基板の板面とほぼ平行な横方向の延出して前記ハウジング装着部を前記横方向に挿入可能となす横挿入孔とを有する固定部材受け部が設けられているところに特徴を有する。
【発明の効果】
【０００７】
ハウジング装着部が縦挿入孔に縦方向に挿入されることにより、固定部材がハウジングに対して縦向き姿勢で装着される。また、ハウジング装着部が横挿入孔に横方向に挿入されることにより、固定部材がハウジングに対して横向き姿勢で装着される。このように、１つのハウジングに対する固定部材の装着姿勢を変更することにより、仕様変更に容易に対応することができる。また、固定部材の装着姿勢の変更時にハウジングを共用化できるため、コストが高くなるのを抑えることができる。さらに、縦挿入孔と横挿入孔とは互いに交差連通するため、固定部材受け部の大型化を回避することができる。
【図面の簡単な説明】
【０００８】
【図１】本発明の実施例１に係る基板用コネクタにおいて、端子金具が回路基板の板面に沿うように配置され、固定部材が横向き姿勢で配置された状態を示す側面図である。
【図２】図１における固定部材受け部を破断した側面図である。
【図３】端子金具が回路基板の板面に沿うように配置され、固定部材が縦向き姿勢で配置された状態を示す側面図である。
【図４】図３における固定部材受け部を破断した側面図である。
【図５】固定部材受け部を破断したハウジングの側面図である。
【図６】ハウジングの平面図である。
【図７】端子金具が回路基板を貫通して配置され、固定部材が縦向き姿勢で配置された状態を示す側面図である。
【図８】端子金具が回路基板を貫通して配置され、固定部材が横向き姿勢で配置された状態を示す側面図である。
【図９】図８における固定部材受け部を破断した側面図である。
【発明を実施するための形態】
【０００９】
本発明の好ましい実施形態を以下に示す。
前記横挿入孔は、前記ハウジングに対して前記端子金具が装着される側となる後方に、前記ハウジング装着部の挿入口を有するとよい。これによれば、横挿入孔に対するハウジング装着部の挿入方向を、端子の装着方向と同じ方向に揃えることができるため、組み付け作業性が良好となる。
【００１０】
前記固定部材は、線状部材であって、前記ハウジング装着部が前記縦挿入孔に挿入された場合には前記基板固定部が前記回路基板の固定孔に差し込まれて半田固定され、前記ハウジング装着部が前記横挿入孔に挿入された場合には前記基板固定部の側面部分が前記回路基板の板面に沿って半田固定されるような形状になっているとよい。これによれば、固定部材の全体形状を簡単にすることができる。
【００１１】
＜実施例１＞
以下、実施例１を図１〜図９に基づいて説明する。本実施例１に係る基板用コネクタは、回路基板９０に設置され、ハウジング１０と、ハウジング１０に装着される端子金具８０Ａ、８０Ｂと、ハウジング１０に装着され、且つ回路基板９０に固定される固定部材６０とを備えている。固定部材６０はハウジング１０に対する装着姿勢を変更可能とされる。また、ハウジング１０は、回路基板９０の設置された状態で、図示しない相手ハウジングと嵌合可能とされる。なお、以下の説明において、前後方向は、回路基板９０の板面に沿う方向で且つ嵌合時に相手ハウジングを向く側を前側とし、上下方向は、回路基板９０の板面と直交する方向で且つ回路基板９０に対してハウジング１０が位置する側を上側とする。
【００１２】
ハウジング１０は合成樹脂製であって、前方に開口するフード部１１を有している。フード部１１は、左右方向に長い扁平角筒状をなし、奥壁部分に、複数の端子金具８０Ａ、８０Ｂが後方から圧入により装着される。フード部１１の内部に相手ハウジングが嵌合されることにより、各端子金具８０Ａ、８０Ｂが相手ハウジング内に配置された図示しない相手端子金具に電気的に接続されるようになっている。なお、本実施例１の場合、ハウジング１０は、後述する表面実装型の端子金具８０Ａが装着されるものと、スルーホール型の端子金具８０Ｂが装着されるものとで、サイズが異なる等の相違点を有するが（図１及び図７を参照）、上記基本構成が共通しており、特に区別する必要もないことから、同一符号を付して説明する。
【００１３】
端子金具８０Ａ、８０Ｂは導電金属製の棒状部材であって、フード部１１内に突出して相手端子金具に接続される部分を有し、且つ奥壁部分を貫通してフード部１１より後方に露出状態で突出する部分を有している。端子金具８０Ａ、８０Ｂは、後方への突出部分の形状を異にする２種類で構成され、いずれか１種が選択的にフード部１１に装着される。２種類のうちの１種類の端子金具８０Ａは、図１に示すように、後方への突出する部分が長さ方向途中で２回折り曲げられ、下端部が回路基板９０の表面（上側の板面）に沿って配置されて回路基板９０の表面の導電部分に半田付けして接続される表面実装型である。また、他の１種類の端子金具８０Ｂは、図７に示すように、後方への突出部分が長さ方向途中に１回折り曲げられ、下端部が回路基板９０に設けられた接続孔９１を貫通して接続孔９１の導電部分に半田付けして接続されるスルーホール型である。
【００１４】
フード部１１の両側壁の外面には、図５及び図６に示すように、前後方向中央部より少し後方に、一対の固定部材受け部１２が突出して設けられている。固定部材受け部１２は、左右方向に扁平な角ブロック状をなし、図５に示すように、内部に、ほぼ上下方向に延出して上下両端に開口する互いにほぼ平行な一対の縦挿入孔１３と、ほぼ前後方向に延出して前後両端に開口する１つの横挿入孔１４とを有している。両縦挿入孔１３及び横挿入孔１４は、それぞれの延出方向途中でほぼ直角に互いに交差連通している。
【００１５】
両縦挿入孔１３は、断面略矩形状であって、図５に示すように、固定部材受け部１２の前後両側部にそれぞれ配置され、上端部の対向内縁に、後述する横溝１７へ向けて傾斜状に拡幅する傾斜縁１５を有している。横挿入孔１４は、断面略矩形状であって、固定部材受け部１２の上下方向略中央部に配置されている。固定部材受け部１２の下端面は、横挿入孔１４とほぼ平行に配置される平坦な固定部材沿面１６とされている。固定部材沿面１６とフード部１１の底面との上下方向の離間距離は、固定部材６０の後述する脚部６２の上下方向の厚さよりも小さくされている。
【００１６】
また、図５に示すように、固定部材受け部１２は、上端面に開口しつつ前後方向に延出し、両縦挿入孔１３の上端と連通する横溝１７と、後端面の略下半部に開口しつつ上下方向に延出し、横挿入孔１４の後端と連通する縦溝１８とを有している。横溝１７と連通する両縦挿入孔１３の上端と、縦溝１８と連通する横挿入孔１４の後端は、固定部材６０の後述するハウジング装着部６４の挿入口１９、２１として構成される。横溝１７の前後両縁は、上方へ向けてテーパ状に拡開するテーパ縁２２となっている。縦溝１８の下端は、固定部材受け部１２の下端面に開口し、固定部材沿面１６と交差している。
【００１７】
続いて、固定部材６０について説明する。固定部材６０は、金属製の線状部材であって、断面略矩形状をなしている。具体的には、固定部材６０は、長尺の線材をＵ字状（門型状）に屈曲してなるものであって、図２及び図４に示すように、連結部６１と、連結部６１の両端から互いにほぼ平行に突出する一対の脚部６２とからなる。両脚部６２は、縦挿入孔１３及び横挿入孔１４のそれぞれの延出長さを越える長さで構成されている。両脚部６２の先端は、テーパ状に窄み形成されている。
【００１８】
図２及び図４に示すように、両脚部６２のうちの一方又は両方には、連結部６１寄りの位置に、係止部６３が設けられている。係止部６３は、詳細は図示しないが、脚部６２の四角部を圧潰することによって周方向に複数のエッジを突出させてなるものである。
【００１９】
脚部６２は、固定部材受け部１２に装着されるハウジング装着部６４と、回路基板９０に固定される基板固定部６５とを有している。係止部６３は、ハウジング装着部６４に設けられている。ハウジング装着部６４は、固定部材受け部１２の縦挿入孔１３と横挿入孔１４のいずれかに選択的に挿入される。基板固定部６５は、ハウジング装着部６４が縦挿入孔１３に挿入される場合と横挿入孔１４に挿入される場合とで、回路基板９０に対する固定部位を異ならせる。この点については後述する。
【００２０】
製造に際し、図示しない長尺の線材にめっき処理を施した後、切断して折り曲げ、又は折り曲げて切断し、さらに、係止部６３を圧潰形成して、複数の固定部材６０を成形する。これにより、固定部材６０の側面部分（外周面部分）は、めっき面となり、固定部材６０の先端面は、非めっき面（破断面）となる。
【００２１】
続いて、本実施例１の作用効果を説明する。
本実施例１の基板用コネクタは、表面実装型の端子金具８０Ａがハウジング１０に装着され、且つ固定部材６０のハウジング装着部６４が固定部材受け部１２の横挿入孔１４に挿入される第１態様（図１及び図２を参照）と、表面実装型の端子金具８０Ａがハウジング１０に装着され、且つ固定部材６０のハウジング装着部６４が固定部材受け部１２の縦挿入孔１３に挿入される第２態様（図３及び図４を参照）と、スルーホール型の端子金具８０Ｂがハウジング１０に装着され、且つ固定部材６０のハウジング装着部６４が固定部材受け部１２の縦挿入孔１３に挿入される第３態様（図７を参照）と、スルーホール型の端子金具８０Ｂがハウジング１０に装着され、且つ固定部材６０のハウジング装着部６４が固定部材受け部１２の横挿入孔１４に挿入される第４態様（図８及び図９を参照）のうちのいずれかの態様を選択的にとり得る。
【００２２】
図１及ぶ図２に示す第１態様では、固定部材６０が前後方向にほぼ沿った横向きの姿勢をとって固定部材受け部１２に後方から挿入される。図２に示すように、連結部６１が縦溝１８に挿入され、両脚部６２のうち、上側の脚部６２が挿入口２１から横挿入孔１４を略水平に圧入状態で貫通するとともに、下側の脚部６２における側面部分の上側面が固定部材沿面１６に沿って配置され、且つ、両脚部６２の先端部が固定部材受け部１２よりも前方に突出して配置される。係止部６３は、上側の脚部６２にのみ設けられ、固定部材受け部１２の内壁に食い込み係止される。これにより、固定部材６０が固定部材受け部１２に抜け止め状態に保持される。上側の脚部６２のうち、固定部材受け部１２の内部に挿入される部分がハウジング装着部６４となるものである。
【００２３】
回路基板９０への実装時、回路基板９０の表面には、下側の脚部６２における側面部分の下側面が前後方向に沿って配置され、リフロー半田により下側の脚部６２の側面部分に半田が付着して固定される。この場合、下側の脚部６２には、固定部材沿面１６に沿う部分を除いて、半田が付着する面が広範に確保されており、さらに、下側の脚部６２の側面部分はめっき面であるため、半田濡れ性を良好にすることができる。なお、下側の脚部６２の側面部分が基板固定部６５となるものである。
各端子金具８０Ａは下端部が回路基板９０の表面に前後方向に沿って配置され、上記リフロー半田時に回路基板９０の導電部分に半田接続される。
【００２４】
図３及び図４に示す第２態様は、固定部材６０が上下方向にほぼ沿った縦向きの姿勢をとって固定部材受け部１２に上方から挿入される。図４に示すように、連結部６１が横溝１７に挿入され、両脚部６２が挿入口１９から縦挿入孔１３を略垂直に圧入状態で貫通するとともに、両脚部６２の先端部が固定部材６０よりも下方に突出して配置される。このとき、両脚部６２の先端は、テーパ縁２２と傾斜縁１５とにより縦挿入孔１３に誘い込まれる。係止部６３は、両脚部６２に設けられ、固定部材受け部１２の内壁に食い込み係止される。両脚部６２のうち、固定部材受け部１２の内部に挿入される部分がハウジング装着部６４となるものである。
【００２５】
ハウジング１０が回路基板９０の表面に設置されるに伴い、両脚部６２の先端部が回路基板９０に設けられた固定孔９２に上方から差し込まれ、両脚部６２の先端部の側面部分に半田が施されて固定される。表面実装型の場合と同様、両脚部６２の側面部分はめっき面であるため、半田濡れ性を良好にすることができる。端子金具８０Ａについては第１態様と同様である。
【００２６】
図７に示す第３態様は、固定部材６０が上下方向にほぼ沿った縦向きの姿勢をとって固定部材受け部１２に上方から挿入される。よって、固定部材６０については第２態様と同様である。一方、端子金具８０Ｂはスルーホール型であるため、ハウジング１０が回路基板９０の表面に設置されるに伴い、端子金具８０Ｂの下端部が回路基板９０に設けられた接続孔９１に上方から差し込まれ、導電部分に半田接続される。
【００２７】
図８及び図９に示す第４態様は、固定部材６０が前後方向にほぼ沿った横向きの姿勢をとって固定部材受け部１２に後方から挿入される。よって、固定部材６０については第１態様と同様であり、端子金具８０Ｂについては第３態様と同様である。
【００２８】
以上説明したように、本実施例１によれば、ハウジング装着部６４が縦挿入孔１３に挿入されることにより、固定部材６０がハウジング１０に対して縦向き姿勢の第２、第３態様をとることができるとともに、ハウジング装着部６４が横挿入孔１４に挿入されることにより、固定部材６０がハウジング１０に対して横向き姿勢の第１、第４態様をとることができる。このように、１つのハウジング１０に対する固定部材６０の装着姿勢を変更することにより、仕様変更の要請に容易且つ迅速に対応することができる。また、かかる固定部材６０の姿勢変更時にハウジング１０が共用化されるため、コストの上昇を抑えることができる。さらに、縦挿入孔１３と横挿入孔１４とが互いに交差連通するため、固定部材受け部１２が左右方向に大きくなることがなく、コネクタの大型化を招来することがない。しかも、固定部材６０はＵ字状の線状部材であるから、その全体形状が特別複雑になることもない。
【００２９】
さらにまた、横挿入孔１４がハウジング１０に対して端子金具８０Ａ、８０Ｂが装着される側となる後方に、ハウジング装着部６４の挿入口２１を有するため、横挿入孔１４に対するハウジング装着部６４の挿入方向を、端子金具８０Ａ、８０Ｂの装着方向と同じ向きに揃えることができるため、組み付け作業性が良好となる。
【００３０】
＜他の実施例＞
以下、他の実施例を簡単に説明する。
（１）固定部材は、断面略円形の線状部材であってもよい。
（２）横挿入孔は、固定部材の前端面に閉塞された形態であってもよい。
（３）横挿入孔は上下に対をなし、下側の横挿入孔が、固定部材の下端面に前後方向に開口する凹溝として構成されるものであってもよい。
（４）端子金具はフード部の奥壁部分にインサートにより装着されるものであってもよい。
【符号の説明】
【００３１】
１０…ハウジング
１１…フード部
１２…固定部材受け部
１３…縦挿入孔
１４…横挿入孔
６０…固定部材
６２…脚部
６４…ハウジング装着部
６５…基板固定部
８０Ａ…端子金具（表面実装型）
８０Ｂ…端子金具（スルーホール型）
９０…回路基板
９２…固定孔
【図１】
2018018613.tif 000003
【図２】
2018018613.tif 000004
【図３】
2018018613.tif 000005
【図４】
2018018613.tif 000006
【図５】
2018018613.tif 000007
【図６】
2018018613.tif 000008
【図７】
2018018613.tif 000009
【図８】
2018018613.tif 000010
【図９】
2018018613.tif 000011